(57)【要約】【課題】  ダブルタップ操作における誤操作の防止を図る。【解決手段】  各種の情報を有する表示画面６が表示されるディスプレイ３と、該ディスプレイに組み込まれ所定のタッチ操作を行うことにより所定の処理が実行可能であると共に連続した第１回目のタップ操作と第２回目のタップ操作によるダブルタップ操作を行うことが可能とされたタッチパネル５とを設け、該タッチパネルに対して第１回目のタップ操作を行ったときに、タッチパネルに対する第２回目のタップ操作の認識可能領域を示す補助領域８をディスプレイに表示した。【選択図】図３
2006011679.tif 000002
【特許請求の範囲】
【請求項１】
各種の情報を有する表示画面が表示されるディスプレイと、
該ディスプレイに組み込まれ所定のタッチ操作を行うことにより所定の処理が実行可能であると共に連続した第１回目のタップ操作と第２回目のタップ操作によるダブルタップ操作を行うことが可能とされたタッチパネルとを備え、
該タッチパネルに対して第１回目のタップ操作を行ったときに、タッチパネルに対する第２回目のタップ操作の認識可能領域を示す補助領域をディスプレイに表示した
ことを特徴とする情報処理装置。
【請求項２】
上記補助領域を、タッチパネルに対する第２回目のタップ操作の認識が可能な時間内で表示した
ことを特徴とする請求項１に記載の情報処理装置。
【請求項３】
各種の情報を有する表示画面が表示されるディスプレイと、該ディスプレイに組み込まれ所定のタッチ操作を行うことにより所定の処理が実行可能であると共に連続した第１回目のタップ操作と第２回目のタップ操作によるダブルタップ操作を行うことが可能とされたタッチパネルとを備えた情報処理装置における処理プログラムであって、
上記タッチパネルに対して行った第１回目のタップ操作を認識する操作認識工程と、
該操作認識工程において第１回目のタップ操作が認識されたときに、タッチパネルに対する第２回目のタップ操作の認識可能領域を示す補助領域をディスプレイに表示する領域表示工程とを備えた
ことを特徴とする情報処理装置における処理プログラム。
【請求項４】
上記補助領域を、タッチパネルに対する第２回目のタップ操作の認識が可能な時間内で表示した
ことを特徴とする請求項３に記載の情報処理装置における処理プログラム。
【発明の詳細な説明】
【技術分野】
【０００１】
本発明は情報処理装置及び情報処理装置における処理プログラムについての技術分野に関する。詳しくは、タッチパネルに対するダブルタップ操作を行うに際し第２の回目のタップ操作の認識可能領域を表示し、ダブルタップ操作における誤操作の防止を図る技術分野に関する。
【背景技術】
【０００２】
パーソナルコンピューターに代表される情報処理装置は、一般に、ディスプレイを有し、このディスプレイに各種の情報を有する表示画面が表示される。
【０００３】
このようなディスプレイを有する情報処理装置には、ディスプレイに表示される表示画面に対して指や専用の入力ペン（スタイラス）を用いることにより選択操作や入力操作等の種々の操作を行うことができるものがあり、入力ペン等による操作は、ディスプレイに組み込まれた所定の座標系を有するタッチパネル（タブレット）に対して行う。
【０００４】
例えば、タッチパネルの所定の位置（ポイント）を１回タップ操作することにより選択操作を行うことが可能であり、タッチパネルの所定の位置を２回連続してダブルタップ操作することにより選択したメニューやプログラムの実行操作を行うことが可能である。
【０００５】
ダブルタップ操作はタッチパネル上の同じポイント（座標）を２回連続してタップ操作する必要があるため、使用者がダブルタップ操作を行ったつもりであっても、１回目に操作した座標と２回目に操作した座標とがずれていた場合には誤操作となり、ダブルタップ操作に対応した処理が実行されなくなってしまう。
【０００６】
そこで、従来の情報処理装置においては、使用者がダブルタップ操作を意図して操作したにも拘わらず誤操作とならないようにするために、第１回目の操作によるポイントを基準とした一定領域を設定し、第２回目に操作したポイントが第１回目に操作したポイントに対して上記一定領域内でずれていた場合には、第２回目に操作したときに第１回目に操作した座標と同じ座標を出力し、又は、第２回目に操作したときに第１回目に操作した座標と同じ座標となるように補正することにより、ダブルタップ操作として認識されるようにしたものがある（例えば、特許文献１参照）。
【０００７】
【特許文献１】特開平１１−５３１００号公報
【発明の開示】
【発明が解決しようとする課題】
【０００８】
ところが、上記した従来の情報処理装置においては、第１回目のタップ操作に続いて第２回目のタップ操作を行おうとしたときに、使用者は、第１回目のタップ操作によるポイントを基準とした上記一定領域を把握することができないため、第２回目にタップ操作したポイントと第１回目にタップ操作したポイントとのずれ量によっては、第２回目のタップ操作のポイントが上記一定領域外となってしまうおそれがあり、この場合には誤操作になってしまうという不都合があった。
【０００９】
そこで、本発明情報処理装置は、上記した問題点を克服し、ダブルタップ操作における誤操作の防止を図ることを課題とする。
【課題を解決するための手段】
【００１０】
本発明情報処理装置は、上記した課題を解決するために、各種の情報を有する表示画面が表示されるディスプレイと、該ディスプレイに組み込まれ所定のタッチ操作を行うことにより所定の処理が実行可能であると共に連続した第１回目のタップ操作と第２回目のタップ操作によるダブルタップ操作を行うことが可能とされたタッチパネルとを設け、該タッチパネルに対して第１回目のタップ操作を行ったときに、タッチパネルに対する第２回目のタップ操作の認識可能領域を示す補助領域をディスプレイに表示したものである。
【００１１】
本発明情報処理装置における処理プログラムは、上記した課題を解決するために、タッチパネルに対して行った第１回目のタップ操作を認識する操作認識工程と、該操作認識工程において第１回目のタップ操作が認識されたときに、タッチパネルに対する第２回目のタップ操作の認識可能領域を示す補助領域をディスプレイに表示する領域表示工程とを設けたものである。
【００１２】
従って、本発明情報処理装置及び情報処理装置における処理プログラムにあっては、タッチパネルに対するダブルタップ操作に際して、第２回目のタップ操作の認識可能領域が明示される。
【発明の効果】
【００１３】
本発明情報処理装置は、各種の情報を有する表示画面が表示されるディスプレイと、該ディスプレイに組み込まれ所定のタッチ操作を行うことにより所定の処理が実行可能であると共に連続した第１回目のタップ操作と第２回目のタップ操作によるダブルタップ操作を行うことが可能とされたタッチパネルとを備え、該タッチパネルに対して第１回目のタップ操作を行ったときに、タッチパネルに対する第２回目のタップ操作の認識可能領域を示す補助領域をディスプレイに表示したことを特徴とする。
【００１４】
従って、第２回目のタップ操作を行おうとする際に、操作者が第２回目のタップ操作を認識する領域を容易に把握することができ、ダブルタップ操作に関して誤操作の防止を図ることができる。
【００１５】
請求項２に記載した発明にあっては、上記補助領域を、タッチパネルに対する第２回目のタップ操作の認識が可能な時間内で表示したので、使用者が第２回目のタップ操作を行うべき時間を容易に把握することができ、ダブルタップ操作に関して操作性の向上を図ることができる。
【００１６】
本発明情報処理装置における処理プログラムは、各種の情報を有する表示画面が表示されるディスプレイと、該ディスプレイに組み込まれ所定のタッチ操作を行うことにより所定の処理が実行可能であると共に連続した第１回目のタップ操作と第２回目のタップ操作によるダブルタップ操作を行うことが可能とされたタッチパネルとを備えた情報処理装置における処理プログラムであって、上記タッチパネルに対して行った第１回目のタップ操作を認識する操作認識工程と、該操作認識工程において第１回目のタップ操作が認識されたときに、タッチパネルに対する第２回目のタップ操作の認識可能領域を示す補助領域をディスプレイに表示する領域表示工程とを備えたことを特徴とする。
【００１７】
従って、第２回目のタップ操作を行おうとする際に、操作者が第２回目のタップ操作を認識する領域を容易に把握することができ、ダブルタップ操作に関して誤操作の防止を図ることができる。
【００１８】
請求項４に記載した発明にあっては、上記補助領域を、タッチパネルに対する第２回目のタップ操作の認識が可能な時間内で表示したので、使用者が第２回目のタップ操作を行うべき時間を容易に把握することができ、ダブルタップ操作に関して操作性の向上を図ることができる。
【発明を実施するための最良の形態】
【００１９】
以下に、本発明情報処理装置及び情報処理装置における処理プログラムの最良の形態を添付図面に従って説明する。
【００２０】
尚、本発明情報処理装置は、パーソナルコンピューター、ＰＤＡ（Personal Digital Assistant）、ネットワーク端末、携帯情報端末、ワークステーション、携帯電話等の各種の情報処理装置に広く適用することができ、本発明情報処理装置における処理プログラムは、これらの情報処理装置における処理プログラムに広く適用することができる。
【００２１】
情報処理装置１は筐体２に所要の各部が配置されて成る（図１参照）。筐体２は、例えば、横長の扁平な矩形状に形成され、前面２ａにディスプレイ３、例えば、液晶パネルが設けられている。
【００２２】
図２は、情報処理装置のハードウェア構成例を示したものであり、装置本体部１００及び外部機器との接続用装置（インターフェース装置）２００を示している。
【００２３】
先ず、装置本体部１００内の構成について説明する。
【００２４】
制御中枢であるＣＰＵ１０１は、バス（FSB:Front Side Bus）を介して制御装置１０２に接続されている。制御装置１０２はメインメモリ１０３の制御やグラフィック機能に係る制御を担当し、主に大量データを高速に処理する役目をもつ。ＡＴ互換機では「ノースブリッジ」と呼ばれ、本例に示す制御装置１０２には、ＣＰＵ１０１、メインメモリ１０３、制御装置１０４、液晶表示デバイス等のグラフィック表示装置１０５（上記ディスプレイ３と同じ。）が接続されている。
【００２５】
制御装置１０４は、ユーザインターフェース用の制御デバイス等を主に制御するものであり、デバイスのバスリンク等を行う。ＡＴ互換機では「サウスブリッジ」と呼ばれ、「PCI to ISA bridge」では、バス（ＰＣＩ:Peripheral Component Interconnect bus）を低速なバス（ＩＳＡ:Industry Standard Architecture bus等）に橋渡しする役目をもち、ＩＳＡコントローラ、ＩＤＥ（Integrated Drive Electronics）コントローラ等の機能を有する。
【００２６】
バス（ＰＣＩバス）には、無線通信用デバイス１０６としてのワイヤレス（無線式）ＬＡＮ（Ｗ−ＬＡＮ）や、外部メモリや外部機器との接続や制御を行うためのデバイス１０７が接続されている。外部メモリとしては、装置本体部１００への着脱が可能な半導体メモリ装置、例えば、スティック状のメモリ媒体のデータを読み書きするための制御用デバイス１０８や、カード型の記憶媒体等の制御用デバイス１０９が設けられている。また、デバイス１０７は外部機器との接続用インターフェース（例えば、シリアルデバイスをコンピュータに追加するためのハードウェアの仕様を定義する「IEEE 1394」等）の機能を有する。
【００２７】
制御装置１０４には、ＬＡＮ（Local Area Network）接続用デバイス１１０が接続されるとともに、タッチ式パネル等を用いた入力用デバイス１１１がＵＳＢ（Universal Serial Bus）ポートに接続されている。
【００２８】
補助記憶装置１１２には、例えば、磁気ディスクや光学式ディスクを用いたドライブ装置が用いられるが、本例では、ハードディスク等の大容量記憶媒体を用いたドライブ装置が用いられ、制御装置１０４（内のＩＤＥコントローラ）に接続される。
【００２９】
また、制御装置１０４に接続されているオーディオ信号処理部（Audio Codec）１１３は、ディジタル−アナログ変換されたオーディオ信号を、例えば、スピーカ１１４やヘッドホーン１１５に送出して音声を出力する。あるいは、マイクロフォンを備えた装置形態では、音声入力データをディジタル化する処理等を行う。
【００３０】
記憶装置１１６には、コンピュータを動作させるための制御プログラム等が格納されており、ＬＰＣ(Low Pin Count：シリアルバス）等を用いて制御装置１０４、１１７に接続されている。
【００３１】
制御装置１１７は、各種信号の制御を行う汎用装置であり、例えば、「ＥＣ」（Embedded Controller：組み込みコントローラ）が用いられ、キーボードコントローラの機能や、システムの電源制御やシステムの付加機能等について制御を行う（携帯型機器等ではマイクロコンピュータが搭載されている。）。尚、記憶装置１１６内の制御プログラムを変更することによってコンピュータの制御方法を変えることができる。
【００３２】
スティック型ポインティングデバイス（トラックポイント等）を構成する操作デバイス１１８（後述するポインティングデバイス４ｈ）は、制御装置１１７のポート（ＰＳ／２（Personal System/2）ポート等）に接続されている。また、装置本体部１００に設けられたスイッチや操作釦等を含む操作部１１９からの信号が制御装置１１７に送出される。
【００３３】
装置本体部１００に外部機器を直接的に接続するための接続部１２０としては、ＵＳＢコネクタが設けられており、接続部１２０は制御装置１１７に接続されている。
【００３４】
尚、図示しない電源部には、ＡＣアダプタからの商用電源電圧の供給、あるいは二次電池や燃料電池等を用いたバッテリパックからの直流電源供給が行われる。例えば、上記ＥＣ（制御装置１１７）は、ＡＣアダプタやバッテリパック等の接続や装着の状態を検出したり、バッテリ残量等を含む各種の管理情報を保持している。
【００３５】
次に、接続用装置２００の構成について説明する。
【００３６】
装置本体部１００については、コネクタ等の接続手段を介して接続用装置２００に接続することにより、図示しない外部機器との間で信号伝送が行われる。
【００３７】
ＶＧＡ(Video Grapthics Array)コネクタ等で外部ディスプレイ装置を接続するためのコネクタ部２０１は、装置本体部１００内の制御装置１０２に接続され、これにより外部ディスプレイ装置に対して画像信号等が出力される。
【００３８】
また、「IEEE 1394」規格に準拠した外部機器等を接続するためのコネクタ部２０２が、装置本体部１００内の上記デバイス１０７に接続され、ＬＡＮケーブル等を接続するためのコネクタ部２０３が装置本体部１００内の上記デバイス１１０に接続されるようになっている。
【００３９】
装置本体部１００内の制御装置１０４に接続される集線用デバイス２０４には、ＵＳＢハブが用いられ、本例では、接続用装置２００に４つのＵＳＢコネクタ２０５、２０５、…が付設され、各ＵＳＢコネクタ２０５、２０５、・・・が集線用デバイス２０４（ＵＳＢハブ）に接続されている。
【００４０】
筐体２の前面２ａの所定の位置には、複数の操作釦４、４、・・・が設けられている（図１参照）。操作釦４、４、・・・としては、例えば、センター釦４ａ、左釦４ｂ、右釦４ｃ、ズーム釦４ｄ、ローテーション釦４ｅ、エンター釦４ｆ、カーソルキー４ｇ、ポインティングデバイス４ｈ、ファンクション選択釦４ｉ、起動釦４ｊ、輝度変更釦４ｋ等が設けられている。
【００４１】
センター釦４ａ、左釦４ｂ、右釦４ｃはそれぞれマウスの各釦に相当する釦であり、ズーム釦４ｄはディスプレイ３に表示される表示画面６の拡大縮小を行う釦であり、ローテーション釦４ｅは表示画面６を９０°回転させる釦であり、エンター釦４ｆはキーボードのエンターキーに相当し操作の実行や確定を行う釦であり、カーソルキー４ｇはディスプレイ３に表示されるカーソルを上下左右に移動させる等の釦であり、ポインティングデバイス４ｈはディスプレイ３に表示されるポインターを移動させる等の釦であり、ファンクション選択釦４ｉは出力される音声の音量の変更や外付けのディスプレイへの出力の切替等を行う釦であり、起動釦４ｊは特定のソフトウェアを起動する釦であり、輝度変更釦４ｋはディスプレイ３の輝度を変更する釦である。
【００４２】
情報処理装置１にあっては、ディスプレイ３にタッチパネル（タブレット）５が組み込まれており、ディスプレイ３に表示された表示画面６の所定の位置を指や専用の入力ペン（スタイラス）７によってタップすることにより選択操作や入力操作等の各種の操作を行うことができる。タッチパネル５は絶対座標入力装置であり、所定の座標系を有している。
【００４３】
タッチパネル５に対して、ダブルタップ操作、即ち、連続した第１回目のタップ操作と第２回目のタップ操作を行うことにより、例えば、選択したメニューやプログラムを実行することが可能である。
【００４４】
タッチパネル５にあっては、第１回目のタップ操作のポイントの座標を（Ｘ１、Ｙ１）、第１回目のタップ操作が行われた時刻をＴ１、第２回目のタップ操作のポイントの座標を（Ｘ２、Ｙ２）、第２回目のタップ操作が行われた時刻をＴ２とすると、以下の条件（１）及び条件（２）を満たしたときにダブルタップ操作が行われたことが認識される。
【００４５】
（１）Ｘ１−Ｗｘ＜Ｘ２＜Ｘ１＋Ｗｘ、かつ、Ｙ１−Ｗｙ＜Ｙ２＜Ｙ１＋Ｗｙ
（２）Ｔ１＜Ｔ２＜Ｔ１＋Ｗｔ
但し、Ｗｘ、Ｗｙはタッチパネル５の座標におけるＸ軸方向とＹ軸方向のポイントの許容範囲（ダブルタップ許容範囲）であり、Ｗｔは第１回目のタップ操作から第２回目のタップ操作までの許容時間（ダブルタップ許容時間）である。
【００４６】
尚、情報処理装置１にあっては、ダブルタップ許容範囲Ｗｘ、Ｗｙ及びダブルタップ許容時間Ｗｔは、使用者が所定の操作を行うことにより任意の値に設定可能とされている。使用者によって設定されたダブルタップ許容範囲Ｗｘ、Ｗｙ及びダブルタップ許容時間Ｗｔに関するデータは、例えば、レジストリーに保存される。また、各使用者がこれらのデータを設定する前の状態においては、最適と考えられるダブルタップ許容範囲Ｗｘ、Ｗｙ及びダブルタップ許容時間Ｗｔに関するデータがそれぞれ予めレジストリーに保存されており、使用者が設定を行うと、保存されているデータが設定したデータに書き換えられる。
【００４７】
情報処理装置１にあっては、ダブルタップ操作を行おうとする際に、誤操作の防止を図るための補助領域８が表示画面６上に表示される（図３参照）。補助領域８は、使用者がタッチパネル５に対して第１回目のタップ操作を行ったときに後述する補助領域表示モードにおいては常に表示され、タッチパネル５に対する第２回目のタップ操作の認識可能領域を示す役割を果たす。従って、使用者が、第１回目のタップ操作を行ってから上記ダブルタップ許容時間Ｗｔ内に補助領域８内で第２回目のタップ操作を行った場合にはダブルタップ操作が認識され、ダブルタップ操作に応じた処理、例えば、選択したメニューやプログラムを実行する処理が行われる。
【００４８】
尚、情報処理装置１にあっては、使用者が所定の操作を行うことにより、補助領域８を表示する補助領域表示モードと補助領域８を表示しない補助領域無表示モードとの選択が可能とされている。
【００４９】
補助領域８としては使用者が第１回目のタップ操作をしたポイント９を中心（基準）として、例えば、表示画面６上の６４ピクセル×６４ピクセルの範囲の領域とされている。補助領域８は、使用者が第１回目のタップ操作を行い、指又は入力ペン７を表示画面６から離したときから所定の時間経過後まで、即ち、ダブルタップ許容時間Ｗｔの間、所定の色が付された状態で表示画面６上に表示される。尚、補助領域８は、付された色がダブルタップ許容時間Ｗｔの間で同じ濃度で表示されているようにしてもよく、また、時間の経過とともに濃度が薄くなるように表示されるようにしてもよい。
【００５０】
以下に、情報処理装置１における上記した補助領域８の表示に関する処理の手順を図４に示すフローチャート図を参照して説明する。
【００５１】
（Ｓ１）タッチパネル５の起動時において、タッチパネル５に対して操作が行われる。
【００５２】
（Ｓ２）（Ｓ１）における操作がタップ操作であるか否かが認識される（操作認識工程）。（Ｓ１）における操作がタップ操作である場合には（Ｓ３）に移行し、（Ｓ１）における操作がタップ操作でない場合には処理を終了する。タップ操作であるか否かの判定は、指又は入力ペン７がタッチパネル５に接した時点（タップダウン）のポイント（座標）から指又は入力ペン７がタッチパネル５から離れた時点（タップアップ）までのポイント（座標）を検出し、両ポイントの距離が予め設定された距離内であった場合にはタップ操作と判定され、両ポイントの距離が予め設定された距離より大きかった場合にはタップ操作でないと判定される。タップ操作でない操作とは、例えば、タッチパネル５に入力ペン７等が接触した状態で移動されるドラッグ操作や文字等の入力を行う操作である。
【００５３】
（Ｓ３）補助領域８を表示する補助領域表示モードが設定されているか否かが検出される。補助領域表示モードが設定されていた場合には、（Ｓ４）に移行し、補助領域表示モードが設定されず補助領域無表示モードが設定されていた場合には、処理を終了する。
【００５４】
（Ｓ４）（Ｓ３）の検出結果に基づいてタッチパネル５を制御するプログラムが、表示画面６上に補助領域８を表示し（領域表示工程）、処理を終了する。補助領域８の表示は、使用者によって予め設定され又は予め設定された最適と考えられたレジストリーに保存されたダブルタップ許容範囲Ｗｘ、Ｗｙ及びダブルタップ許容時間Ｗｔに関するデータに従って行われる。従って、補助領域８の表示処理が実行される際には、これらの各データがレジストリーから読み出される。
【００５５】
尚、上記には、補助領域８を予め設定されたダブルタップ許容時間Ｗｔの間で表示する例を示したが、補助領域８の表示時間はこの時間内に限られることはなく、例えば、常に一定時間表示されるようにしてもよい。
【００５６】
以上に記載した通り、情報処理装置１にあっては、タッチパネル５に対して第１回目のタップ操作を行ったときに、タッチパネル５に対する第２回目のタップ操作の認識可能領域を示す補助領域８が表示されるため、第２回目のタップ操作を行おうとする際に、操作者が第２回目のタップ操作を認識する領域を容易に把握することができ、ダブルタップ操作に関して誤操作の防止を図ることができる。
【００５７】
また、補助領域８をダブルタップ許容時間Ｗｔの間で表示することにより、使用者が第２回目のタップ操作を行うべき時間を容易に把握することができ、ダブルタップ操作に関して操作性の向上を図ることができる。
【００５８】
尚、上記には、補助領域８の形状の例として正方形を示したが、補助領域の形状は正方形に限られることはなく、例えば、長方形や円形等の任意の形状とすることができる。
【００５９】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６０】
【図１】図２乃至図４と共に本発明の最良の形態を示すものであり、本図は情報処理装置の斜視図である。
【図２】情報処理装置のハードウェア構成例を示したブロック図である。
【図３】補助領域が表示された状態を示す拡大斜視図である。
【図４】補助領域の表示に関する処理の手順を示すフローチャート図である。
【符号の説明】
【００６１】
１…情報処理装置、３…ディスプレイ、５…タッチパネル、６…表示画面、８…補助領域
【図１】
2006011679.tif 000003
【図２】
2006011679.tif 000004
【図３】
2006011679.tif 000005
【図４】
2006011679.tif 000006